(57)【要約】【課題】傾斜地対応時に斜めに変形させても端部の縦線あるいは横線が外れるおそれがなく、しかも、格子金網をその全長に亘って胴縁に取り付けることができるので、格子金網の胴縁への取り付け強度を高めることができ、さらに、格子金網の胴縁への取り付けが容易に確実かつ短時間に行える格子金網、および、この格子金網を使用して構築されるフェンスを提供する。【解決手段】それぞれ所定ピッチで波形に屈曲させた縦線１ａと横線１ｂとを編んだ格子金網１と、格子金網１が取り付けられる、長手方向全長に沿ってスリットが形成されたパイプ状の上下胴縁６ａ、６ｂと有し、縦線１ａの上下端部には、上下胴縁６ａ、６ｂ内に挿入されるカール部２が形成されている。【選択図】図３
2014231713.tif 000002
【特許請求の範囲】
【請求項１】
それぞれ所定ピッチで波形に屈曲させた縦線と横線とを編んだ格子金網において、
前記縦線および前記横線の少なくとも前記縦線の上下端部にカール部を有することを特徴とする格子金網。
【請求項２】
それぞれ所定ピッチで波形に屈曲させた縦線と横線とを編んだ格子金網と、前記格子金網が取り付けられる、長手方向全長に沿ってスリットが形成されたパイプ状の胴縁と有し、前記縦線および前記横線の少なくとも前記縦線の上下端部には、前記胴縁内に挿入されるカール部が形成されていることを特徴とするフェンス。
【発明の詳細な説明】
【技術分野】
【０００１】
この発明は、格子金網およびフェンス、特に、平坦地および傾斜地に構築するフェンスに自在に対応することができる格子金網、および、この格子金網を使用して構築されるフェンスに関するものである。
【背景技術】
【０００２】
平坦地および傾斜地に構築するフェンスに自在に対応することができる格子金網を使用して構築されるフェンスの一例が特許文献１に開示されている。以下、このフェンスを従来フェンスという。
【０００３】
従来フェンスを、図面を参照しながら説明する。
【０００４】
図７は、従来フェンスを示す部分正面図、図８は、従来フェンスの格子金網を示す部分正面図、図９は、図８のＡ−Ａ線断面図、図１０は、斜めに変形させた、従来フェンスの格子金網を示す部分正面図、図１１は、傾斜地に構築した従来フェンスを示す部分正面図である。
【０００５】
図７から図９に示すように、従来フェンスは、支柱１１と支柱１１間に取り付けられたフェンス本体１２とからなっている。
【０００６】
フェンス本体１２は、格子金網１３、上下胴縁１４ａ、１４ｂ、左右胴縁１５ａ、１５ｂとからなっている。格子金網１３は、クリンプ金網からなり（図８、図９参照）、縦線１３ａの上下端部は、上下胴縁１４ａ、１４ｂに固定され、横線１３ｂの左右端部は、左右胴縁１５ａ、１５ｂに固定されている。クリンプ金網は、それぞれ所定ピッチで波形に屈曲させた縦線１３ａと横線１３ｂとを交互に交差させて格子状に編んだ金網である。
【０００７】
従来フェンスを傾斜地に構築する場合には、図１０に示すように、格子金網１３を斜めに変形させて、図１１に示すように、傾斜地に構築する。格子金網１３は、クリンプ金網からなっているので、容易に変形する。
【０００８】
格子金網１３と上下胴縁１４ａ、１４ｂとの固定構造の一例が特許文献２に開示されている。以下、この固定構造を従来固定構造といい、図面を参照しながら説明する。
【０００９】
図１２は、従来固定構造を示す部分正面図、図１３は、従来固定構造の上胴縁と支柱との固定部分を示す正面図、図１４は、図１３のＡ矢視図である。
【００１０】
図１２から図１４に示すように、従来固定構造は、支柱１１にボルト・ナット１６により固定されるＬ形鋼からなる上下胴縁１４ａ、１４ｂ（下胴縁は、図示せず。）とコ字状の押え金具１７との間に横線１３ｂを挟み込み、ボルト・ナット１８により押え金具１７を締め付けて、上下胴縁１４ａ、１４ｂに格子金網１３を固定するものである。
【先行技術文献】
【特許文献】
【００１１】
【特許文献１】実開昭６１−８５６７０号公報
【特許文献２】特開２０１２−１３２２５０号公報
【発明の概要】
【発明が解決しようとする課題】
【００１２】
上記従来フェンスによれば、格子金網１３として、斜めに容易に変形させることが可能なクリンプ金網を使用することにより、傾斜地への構築が容易に行える。また、上記従来固定構造により押え金具１７を締め付けることによって、格子金網１３を上下胴縁１４ａ、１４ｂに取り付けることができる。
【００１３】
しかしながら、上記従来フェンスの格子金網１３は、縦線１３ａと横線１３ｂとを交互に交差させただけなので、端部の縦線１３ａあるいは横線１３ｂが外れやすかった。特に、傾斜地対応時に格子金網１３を斜めに変形させたときに外れやすく、一度、外れると、元に戻すのに時間と手間がかかっていた。
【００１４】
また、上記従来固定構造により上下胴縁１４ａ、１４ｂに格子金網１３を取り付けるには、所定間隔毎に押え金具１７により横線１３ｂを取り付けるので、格子金網１３をその全長に亘って取り付ける場合に比べて、格子金網１３の取り付け強度が低かった。
【００１５】
また、複数個の押え金具１７により横線１３ｂをボルト・ナット１８を介して取り付けるので、格子金網１３の取り付けに手間と時間を要していた。
【００１６】
従って、この発明の目的は、傾斜地対応時に斜めに変形させても端部の縦線あるいは横線が外れるおそれがなく、しかも、格子金網をその全長に亘って胴縁に取り付けることができるので、格子金網の胴縁への取り付け強度を高めることができ、さらに、格子金網の胴縁への取り付けが容易に確実かつ短時間に行える格子金網、および、この格子金網を使用して構築されるフェンスを提供することにある。
【課題を解決するための手段】
【００１７】
この発明は、上記目的を達成するためになされたものであり、下記を特徴とするものである。
【００１８】
請求項１に記載の発明は、それぞれ所定ピッチで波形に屈曲させた縦線と横線とを編んだ格子金網において、前記縦線および前記横線の少なくとも前記縦線の上下端部にカール部を有することに特徴を有するものである。
【００１９】
請求項２に記載の発明は、それぞれ所定ピッチで波形に屈曲させた縦線と横線とを編んだ格子金網と、前記格子金網が取り付けられる、長手方向全長に沿ってスリットが形成されたパイプ状の胴縁と有し、前記縦線および前記横線の少なくとも前記縦線の上下端部には、前記胴縁内に挿入されるカール部が形成されていることに特徴を有するものである。
【発明の効果】
【００２０】
この発明によれば、縦線あるいは横線の端部にカール部を形成することによって、傾斜地対応時に格子金網を斜めに変形させても端部の縦線あるいは横線が外れるおそれがない。
【００２１】
また、この発明によれば、格子金網のカール部を長手方向全長に亘ってスリットが形成された胴縁内に挿入することによって、格子金網をその全長に亘って胴縁に取り付けることができるので、格子金網の胴縁への取り付け強度を高めることができる。
【００２２】
また、この発明によれば、格子金網のカール部を胴縁に形成されたスリット内に挿入するのみで良いので、格子金網の胴縁への取り付けが容易に確実かつ短時間に行える。
【図面の簡単な説明】
【００２３】
【図１】この発明の格子金網を示す部分正面図である。
【図２】斜めに変形させた、この発明の格子金網を示す部分正面図である。
【図３】平坦地に構築した、この発明のフェンスを示す部分正面図である。
【図４】図２のＡ−Ａ線断面図である。
【図５】この発明のフェンスの胴縁を示す部分底面図である。
【図６】傾斜地に構築した、この発明のフェンスを示す部分正面図である。
【図７】従来フェンスを示す部分正面図である。
【図８】従来フェンスの格子金網を示す部分正面図である。
【図９】図８のＡ−Ａ線断面図である。
【図１０】斜めに変形させた、従来フェンスの格子金網を示す部分正面図
【図１１】傾斜地に構築した従来フェンスを示す部分正面図である。
【図１２】従来固定構造を示す部分正面図である。
【図１３】従来固定構造の上胴縁と支柱との固定部分を示す正面図である。
【図１４】図１３のＡ矢視図である。
【発明を実施するための形態】
【００２４】
この発明の格子金網の一実施態様を、図面を参照しながら説明する。
【００２５】
図１は、この発明の格子金網を示す部分正面図である。
【００２６】
図１に示すように、この発明の格子金網１は、それぞれ所定ピッチで波形に屈曲させた縦線１ａと横線１ｂとを交互に交差させて編んだものからなり、縦線１ａの上下端部にカール部２（下端部のカール部は、図示せず。）を形成したものからなっている。この例では、カール部２は、縦線１ａの端部を１回、円形状にカールさせたものであるが、複数回、カールさせても良い。カール部２の外径は、後述する上下胴縁６ａ、６ｂの内径より小さく、後述するスリット８の幅より大径に形成されている。
【００２７】
このように、縦線１ａの上下端部にカール部２を形成することによって、格子金網１を斜めに変形させた際に、端部の横線１ｂが縦線１ａから外れるおそれがなくなる。また、この発明の格子金網１は、クリンプ金網からなっているので、容易に変形する。なお、横線１ｂの左右両端部にカール部を形成した場合には、端部の縦線１ａも横線１ｂから外れるおそれがなくなる。
【００２８】
次に、この発明のフェンス３について説明する。この発明のフェンス３は、図３に示すように、支柱４間に取り付けられたフェンス本体５とからなっている。
【００２９】
フェンス本体５は、この発明の格子金網１、上下胴縁６ａ、６ｂ、左右胴縁７ａ、７ｂとからなっている。
【００３０】
図３および図４に示すように、上胴縁６ａは、円形パイプの長手方向全長に亘ってスリット８が形成されたものからなっている。下胴縁６ｂも上胴縁６ａと同様に、円形パイプに、その長手方向全長に亘ってスリットが形成されたものからなっている。なお、上下胴縁６ａ、６ｂの断面形状は、円形に限らず、角、三角形、楕円等、スリットが形成されたパイプであれば良い。
【００３１】
左右胴縁７ａ、７ｂの構造は、特に限定されない。すなわち、上下胴縁６ａ、６ｂと同様に、スリットを形成したパイプ状のものであっても、あるいは、平板間に横線１ｂを挟み込むものなどであっても良い。なお、左右胴縁７ａ、７ｂを、スリットを形成したパイプ状のものとする場合には、左右胴縁７ａ、７ｂの左右端部に、上下胴縁６ａ、６ｂと同様にカール部を形成する。
【００３２】
この発明のフェンス３を傾斜地に構築するには、図６に示すように、上下胴縁６ａ、６ｂ間に取り付けられた、この発明の格子金網１を、構築する傾斜地に合わせて斜めに変形させる。格子金網１の縦線１ａは、そのカール部２が上下胴縁６ａ、６ｂ内に挿入されているので、縦線１ａと上下胴縁６ａ、６ｂとのなす角度は、自在に調整可能である。
【００３３】
しかも、カール部２が上下胴縁６ａ、６ｂ内に挿入されると、格子金網１が上下胴縁６ａ、６ｂから抜け出ることはないので、格子金網１を上下胴縁６ａ、６ｂに強固に取り付けることができる。
【００３４】
以上、説明したように、この発明によれば、縦線の上下端部にカール部を形成することによって、端部の横線が縦線から外れるおそれはない。
【００３５】
また、この発明によれば、上下胴縁に、その長手方向全長に亘ってスリットを形成し、スリットの端部から格子金網のカール部を挿入することによって、格子金網を上下胴縁に強固に取り付けることができる。
【００３６】
また、この発明によれば、格子金網の縦線と上下胴縁とのなす角度は、自在に調整可能であるので、あらゆる傾斜地に対応可能である。
【符号の説明】
【００３７】
１：この発明の格子金網
１ａ：縦線
１ｂ：横線
２：カール部
３：この発明のフェンス
４：支柱
５：フェンス本体
６ａ：上胴縁
６ｂ：下胴縁
７ａ：左胴縁
７ｂ：右胴縁
８：スリット
１１：支柱
１２：フェンス本体
１３：格子金網
１３ａ：縦線
１３ｂ：横線
１４ａ：上胴縁
１４ｂ：下胴縁
１５ａ：左胴縁
１５ｂ：右胴縁
１６：ボルト・ナット
１７：押え金具
１８：ボルト・ナット
【図１】
2014231713.tif 000003
【図２】
2014231713.tif 000004
【図３】
2014231713.tif 000005
【図４】
2014231713.tif 000006
【図５】
2014231713.tif 000007
【図６】
2014231713.tif 000008
【図７】
2014231713.tif 000009
【図８】
2014231713.tif 000010
【図９】
2014231713.tif 000011
【図１０】
2014231713.tif 000012
【図１１】
2014231713.tif 000013
【図１２】
2014231713.tif 000014
【図１３】
2014231713.tif 000015
【図１４】
2014231713.tif 000016